(57)【要約】本発明は、コネクタ装置であって、コネクタと対応コネクタとから成っており、コネクタと対応コネクタとがそれぞれケーシングを有していて、該ケーシング内に、電気的な差込み接続部を形成するため及び高電流及び高電圧を通すための接点エレメントが設けられており、コネクタを正確に案内するためにケーシングにそれぞれガイドエレメントが設けられている形式のものに関する。このような形式のコネクタ装置において本発明の構成では、ガイドエレメントが電気的な接点エレメント（９，１０）として形成されている。この場合、本発明において設けられている接点エレメント（９，１０）は、例えば低電圧範囲における電流であるデータ電流を伝送するために使用される。
2005524939.tif 000002
【特許請求の範囲】
【請求項１】
コネクタ装置であって、コネクタと対応コネクタとから成っており、コネクタと対応コネクタとがそれぞれケーシングを有していて、該ケーシング内に、電気的な差込み接続部を形成するため及び高電流及び高電圧を通すための接点エレメントが設けられており、コネクタを正確に案内するためにケーシングにそれぞれガイドエレメントが設けられている形式のものにおいて、ガイドエレメントが電気的な接点エレメント（９，１０）として形成されていることを特徴とする、特にデータ電送のための付加的な接点装置を備えたコネクタ装置。
【請求項２】
ガイドエレメント（９，１０）が、低電流及び低電圧を通すために設けられている、請求項１記載のコネクタ装置。
【請求項３】
ガイドエレメント（９，１０）が係止溝もしくは係止突起として形成されている、請求項１又は２記載のコネクタ装置。
【請求項４】
対を成すガイドエレメント（９，１０）の少なくとも一部が、弾発的に形成されている、請求項１から３までのいずれか１項記載のコネクタ装置。
【発明の詳細な説明】
【技術分野】
【０００１】
本発明は、コネクタ装置であって、コネクタと対応コネクタとから成っており、コネクタと対応コネクタとがそれぞれケーシングを有していて、該ケーシング内に、電気的な接続部を形成するため及び高電流及び高電圧を通すための接点エレメントが設けられており、ケーシングにそれぞれ、コネクタを対応コネクタに正確に案内するために形成されたガイドエレメントが設けられている形式のものに関する。
【０００２】
従来の技術
コネクタ装置もしくは電気的な差込み接続部を形成するためには、コネクタと相応な対応コネクタとが必要であり、この場合両者のうちの一方は接点エレメントを有しており、これらの接点エレメントは他方のソケット状の切欠きに導入可能である。通常、コネクタ装置は、電流もしくは電圧を伝送するために働く。
【０００３】
特に自動車技術では、コネクタのいわゆるプラグ部分は、このプラグ部分の接点がケーシングによって取り囲まれていて、これらの接点に対応コネクタのソケット部分が導入可能である。相応に設けられた極性もしくは対応コネクタとコネクタエレメントとの対応関係を保証するために、ガイドエレメントがコネクタと対応コネクタとの両方に設けられており、これらのガイドエレメントは、もっぱら規定された方向における差込みだけを可能にする。コネクタが別の方向で対応コネクタに導入された場合には、接点形成は不可能である。
【０００４】
このようなガイドエレメントの有利な構成では、一方のコネクタ部分に複数の突起が設けられており、これらの突起は対応コネクタの側における切欠きに係合するようになっている。これらの突起は有利には直接的にコネクタもしくは対応コネクタのケーシングに配置されていて、一体的な部分として形成されている。
【０００５】
上に述べた形式のコネクタ装置は特に、電流及び電圧を伝送するために使用される。このようなコネクタ装置は、高電流高電圧（高電圧範囲）用か、中電流中電圧用か又は低電流低電圧（低電圧範囲）用に設計されている。高電圧は約２００Ｖ及び約５０Ａまでのピーク電流の範囲にある。低電圧は、５〜１２Ｖの間の範囲にあり、特に例えばプロセッサ、ＲＡＭ、ＥＰＲＯＭ等の給電又は制御のために適している。
【０００６】
従来技術の欠点
特に自動車分野では、個々の機器の機能を保証するために設定された制御電流を伝送することが必要である。これらの機器には通常、高電圧範囲が使用されている。しかしながら他方において、低電圧範囲における電流を伝送することが必要であり、このような低電圧範囲の電流は、例えばエンジンルームにおけるゾンデもしくはセンサによって準備される測定データをエンジン制御用の制御装置に伝送するために使用される。このような事情から、異なった電圧もしくは電流のためのコネクタ装置を準備することが必要であり、その結果多数のコネクタ装置が不可欠となっている。
【０００７】
発明の課題
ゆえに本発明の課題は、コネクタ装置の数を減らすことである。
【０００８】
発明の利点
本発明の主要な利点のうちの１つは次のことである。すなわち本発明によるコネクタ装置では、極めて簡単に、コネクタ装置の特別な再構成なしに、ただ１つの電気的なコネクタ装置を用いて、高い範囲における電圧もしくは電流も低い範囲における電圧もしくは電流も連結可能である。
【０００９】
そのために本発明の有利な構成では、コネクタを対応コネクタに適正方向で導入するために必要なガイドエレメントが、接点エレメントとして形成されている。これによって特に係止突起及び係止溝が、接点エレメントを有しており、これらの接点エレメントは相応な導電体を介して、有利には、広幅の接点エレメントに接続されているその他のケーブルのメイン外装と一緒に、まとめられる。
【００１０】
接点エレメントの特別な構成では、接点エレメントが弾発的に形成されており、これによっていつでも機能適正な電気的な接続部を形成することができる。低電圧範囲用の相応な接点レールの種々様々な構成が、種々様々な所与性への適合を可能にするために設けられている。
【００１１】
接点エレメントは簡単に、射出成形型において嵌め込むことが可能であり、そして食い付き縁部を有しており、このような食い付き縁部は、接点エレメントを囲繞して射出成形されたプラスチックが形状結合式（formschluessig）にかつ摩擦力結合式（kraftschluessig）に対応する接点エレメントと接続結合することを可能にする。
【００１２】
図面
図１は、本発明による接点レールを備えたコネクタ（ソケット部分）を示す斜視図、
図２は、対応コネクタ（プラグ部分）の接点レールを示す斜視図、
図３は、接点レールの可能な構成の１実施例を示す斜視図、
図４は、接点レールの別の実施例を示す斜視図、
図５は、接点レールの第３実施例を示す斜視図、
図６は、接点レール（ソケット部分及びプラグ部分）の剛性的な構成を示す斜視図、
図７は、横断面Ｌ字形に形成された接点レール（ソケット部分及びプラグ部分）を示す斜視図
図８は、レールとして形成された接点レール（ソケット部分及びプラグ部分）を示す斜視図、
図９は、弾発的なレールもしくは条片として形成された接点レール（ソケット部分及びプラグ部分）を示す斜視図、
図１０は、剛性的な接点レールと、横断面Ｌ字形に形成されかつ弾発的に構成された接点レール（ソケット部分及びプラグ部分）との組合せを示す斜視図、
図１１は、接点レールと弾発的な接点エレメントとの組合せとして形成された接点レール（ソケット部分及びプラグ部分）を示す斜視図、
図１２は、本発明によるコネクタのうちの１つの通じるケーブルを示す横断面図である。
【００１３】
実施例の記載
図１には、電気的なコネクタ装置１のソケット部分（Buchsenteil）２が示されている。このソケット部分２はケーシング３と、このケーシング３内に配置された接点エレメント４とを有しており、これらの接点エレメント４は、プラグ部分（Messerteil）５内に設けられた接点６（図２参照）を受容するために設けられている。さらにソケット部分２の領域においてケーシング３にはガイドエレメント７が設けられており、これらのガイドエレメント７は、図２においてプラグ部分５に示されている切欠き８に導入可能である。
【００１４】
本発明によれば、ガイドエレメント７の少なくとも一部が接点レール９として形成されていて、そしてこれらの接点レール９が、まとめられた状態において、つまり電気的なコネクタの製造後に、対応コネクタ５の領域における接点レール１０と共働するようになっている。
【００１５】
この場合、接点エレメント４もしくは接点６は高電圧範囲のために使用することができ、ソケット部分２の本発明による接点レール９もしくはプラグ部分５の接点レール１０は、低電圧範囲における相応な電流を導くために使用することができる。
【００１６】
有利な構成では図１２に示されているように、低電圧範囲に配属されている電気ケーブル１１が、高電圧範囲のための遮蔽されたケーブル１２とまとめられていて、メイン外装１３を備えている。
【００１７】
ソケット部分２の接点レール９もしくはプラグ部分５の接点レール１０を構成するためには、図３〜図１１に示されているような多種多様な構成を実施することができる。
【００１８】
図３及び図４には、ソケット部分２における構成のための接点レール９が示されている。この接点レール９は、接点面９ａと、電気ケーブル９ｃに接続されている接点平面９ｂと、接点レール９をプラスチック内部に保持するために働く領域とを備えている。そのために図３及び図４には食い付き縁部９ｄのそれぞれ異なった実施形態が示されている。
【００１９】
図４には横断面Ｌ字形の接点レール９が示されている。この接点レール９は同様に接点平面９ｂを有しており、この接点平面９ｂは電気ケーブル９ｃと接続されている。さらに、相応な食い付き縁部９ｄを備えて構成された２つの領域が設けられている。
【００２０】
図５に示された第３実施例では、プラグ部分５のために、横断面Ｕ字形の接点レール１０が設けられている。この接点レール１０は接点面１０ａと、電気ケーブル１０ｃに接続されている付加的な接点平面１０ｂとを有している。電気ケーブル１０ｃは孔１０ｅを介して接点平面９ｂに案内される。
【００２１】
さらに、横断面Ｕ字形に形成された接点レール１０の側壁には、面の形をした食い付き縁部１０ｄが設けられており、この面の形をした食い付き縁部１０ｄ自体は相応な波形溝（Riffelung）を有している。
【００２２】
図３〜図５に示された実施例では、電気ケーブル９ｃ，１０ｃは接点平面９ｂ，１０ｂと接着、溶接又はろう接されている。
【００２３】
図６〜図１１には、ソケット部分２のための本発明による接点レール９もしくはプラグ部分５の接点レール１０の種々異なった構成が示されている。
【００２４】
図６では接点レール９，１０は剛性に形成されている。両接点レール９，１０は横断面で見てＴ字形に構成されていて、ソケット部分２もしくはプラグ部分５のケーシング３内にしっかりと埋め込まれている。
【００２５】
図７に示された別の実施例では、ソケット部分２の接点レール９は横断面Ｌ字形に形成されていて、プラグ部分５の接点レールと相応に共働する。
【００２６】
接点レール９，１０の別の構成は図８に示されている。ソケット部分２に配置された接点レール９はピン状の構成部１４を有しており、この構成部１４は、プラグ部分５の接点レール１０の壁状の構成部によって取り囲まれ、これにより簡単な形式で電気的な接点接続部を形成する。
【００２７】
図９の実施例ではソケット部分２の接点レール９は弾発的に支承されていて、矢印１５の両方向において可動に構成されている。この構成には次のような利点がある。すなわちこのように構成されていると、場合によっては生じる温度差に基づいてコネクタと対応コネクタとの間において異なった膨張が生じた場合でも、プラグ部分５における接点レール１０への電気的な接触接続は常に維持される。
【００２８】
図１０に示されたさらに別の構成では、プラグ部分５における接点レール１０が弾発的に支承されている。
【００２９】
弾発的な支承形式の別の択一的な構成は、図１１に示されている。この実施例では接点レール１０は予負荷されてプラグ部分５内に装入されていて、プラグ部分５に向かって中空室を有している。この中空室に基づいて接点レール１０は矢印１６の両方向に向かって可動である。
【００３０】
接点レールの構成に対しては、種々様々な実施形態があるが、それらはすべて次のような利点、すなわち、特に低電圧範囲における接続のために必要であった付加的なコネクタを省くことができ、しかも今まで既に設けられているコネクタと簡単に組み合わせることができるという利点を有している。
【図面の簡単な説明】
【００３１】
【図１】本発明による接点レールを備えたコネクタ（ソケット部分）を示す斜視図である。
【図２】対応コネクタ（プラグ部分）の接点レールを示す斜視図である。
【図３】接点レールの可能な構成の１実施例を示す斜視図である。
【図４】接点レールの別の実施例を示す斜視図である。
【図５】接点レールの第３実施例を示す斜視図である。
【図６】接点レール（ソケット部分及びプラグ部分）の剛性的な構成を示す斜視図である。
【図７】横断面Ｌ字形に形成された接点レール（ソケット部分及びプラグ部分）を示す斜視図である。
【図８】図８は、レールとして形成された接点レール（ソケット部分及びプラグ部分）を示す斜視図である。
【図９】弾発的なレールもしくは条片として形成された接点レール（ソケット部分及びプラグ部分）を示す斜視図である。
【図１０】剛性的な接点レールと、横断面Ｌ字形に形成されかつ弾発的に構成された接点レール（ソケット部分及びプラグ部分）との組合せを示す斜視図である。
【図１１】接点レールと弾発的な接点エレメントとの組合せとして形成された接点レール（ソケット部分及びプラグ部分）を示す斜視図である。
【図１２】本発明によるコネクタのうちの１つの通じるケーブルを示す横断面図である。
【図１】
2005524939.tif 000003
【図２】
2005524939.tif 000004
【図３】
2005524939.tif 000005
【図４】
2005524939.tif 000006
【図５】
2005524939.tif 000007
【図６】
2005524939.tif 000008
【図７】
2005524939.tif 000009
【図８】
2005524939.tif 000010
【図９】
2005524939.tif 000011
【図１０】
2005524939.tif 000012
【図１１】
2005524939.tif 000013
【図１２】
2005524939.tif 000014
【国際調査報告】
2005524939.tif 000015
2005524939.tif 000016
2005524939.tif 000017
2005524939.tif 000018